(57)【要約】【課題】ユーザの周囲の騒音やテレビジョン受信機とリモコン間の距離に合わせて音量を自動調節することが可能な音量調整システム及び音量調整方法を提供する。【解決手段】リモコンとテレビジョン受信機からなる音量調節システムであって、リモコンは、ユーザＩＤを検知する指紋センサと、リモコン周囲音を検知する第２周囲音センサと、リモコンとテレビジョン受信機間の距離を検知する赤外線センサと、リモコン周囲音、距離及びユーザＩＤをユーザ視聴情報として送信する送信部と、を備え、テレビジョン受信機は、ユーザ視聴情報を受信する受信部と、テレビジョン受信機周囲音を検知する第１周囲音センサと、ユーザ視聴情報及びテレビジョン受信機周囲音に応じて、出力すべき音量を計算する第１制御部と、計算された出力すべき音量応じて音量を調整する音量制御部と、を具備する。【選択図】図１
2013005208.tif 000002
【特許請求の範囲】
【請求項１】
リモコンとテレビジョン受信機からなる音量調節システムであって、
前記リモコンは、
ユーザＩＤを検知する指紋センサと、
前記リモコンの周囲音を検知する第２の周囲音センサと、
前記リモコンと前記テレビジョン受信機間の距離を検知する赤外線センサと、
前記第２の周囲音センサが検知した周囲音、前記赤外線センサが検知した距離及び前記指紋センサが検知したユーザＩＤをユーザ視聴情報として送信する送信部と、を備え、
前記テレビジョン受信機は、
前記ユーザ視聴情報を受信する受信部と、
前記テレビジョン受信機の周囲音を検知する第１の周囲音センサと、
前記受信部が受信した前記ユーザ視聴情報及び前記第１の周囲センサが検知した周囲音に応じて、出力すべき音量を計算する第１の制御部と、
前記第１の制御部が計算した前記出力すべき音量応じて、音量を調整する音量制御部と、を具備することを特徴とする音量調整システム。
【請求項２】
前記リモコンは、チャンネル変更や入力機器選択のリモコン操作が行なわれた場合に、前記ユーザ視聴情報を前記送信部に送信させる第２の制御部と、を更に備えることを特徴とする請求項１に記載の音量調整システム。
【請求項３】
前記テレビジョン受信機は、過去のユーザ視聴情報と出力音量とを対応付けたユーザ音量調整情報を記憶する記憶部と、を更に備え、
前記第１の制御部は、前記受信部が受信した前記ユーザ視聴情報に含まれるリモコンの周囲音が、前記記憶部が記憶した前記過去のユーザ視聴情報に含まれるリモコンの周囲音の所定範囲内に含まれ、かつ、前記第１の周囲音センサが検知した周囲音が、前記記憶部が記憶した前記過去のユーザ視聴情報に含まれるテレビジョン受信機の周囲音の所定範囲内に含まれると判断した場合は、前記記憶部が記憶した前記ユーザ音量調整情報に含まれる出力音量を前記出力すべき音量として前記音量制御部に出力する、ことを特徴とする請求項１に記載の音量調整システム。
【請求項４】
リモコンとテレビジョン受信機からなる音量調節システムにおける音量調整方法であって、
前記リモコンは、
前記リモコンの周囲音を検知するステップと、
前記リモコンと前記テレビジョン受信機間の距離を検知するステップと、
指紋センサによってユーザＩＤを認識するステップと、
検知した前記リモコンの周囲音、検知した前記距離及び認識されたユーザＩＤをユーザ視聴情報として送信するステップと、を有し、
前記テレビジョン受信機は、
前記ユーザ視聴情報を受信するステップと、
前記テレビジョン受信機の周囲音を検知するステップと、
受信した前記ユーザ視聴情報及び検知した前記テレビジョン受信機の周囲音に応じて、出力すべき音量を計算するステップと、
計算した前記出力すべき音量に応じて、音量を調整するステップと、を有することを特徴とする音量調整方法。
【発明の詳細な説明】
【技術分野】
【０００１】
本発明は、音量調整システムおよび音量調整方法に関し、更に詳しくは、ユーザの周囲の騒音やテレビジョン受信機とリモコン間の距離に合わせて音量を自動調節することが可能な音量調整システム及び音量調整方法に関する。
【背景技術】
【０００２】
近年、テレビジョン受信機の機能は多方面にわたって進化している。その機能は、過去はユーザが任意に自分の好みに合わせて調節するものが多かったが、近年においてはユーザの好みをあらかじめ予測して、自動的に調節してくれるものが多い。例えば、テレビジョン受信機本体に付けられた照度センサからの測定値を基に、画面の明るさを自動的に調節する機能や、過去の視聴番組履歴からユーザの好みを自動的に計算し、おすすめ番組を提供する機能等がその一例として挙げられる。また、テレビジョン受信機本体に周囲音センサを設けることで、起動時の初期音量を周囲音の大きさに応じて設定する機能を実現した装置もある（例えば、特許文献１参照）。
【先行技術文献】
【特許文献】
【０００３】
【特許文献１】実開平０６−００７３７０号公報
【発明の概要】
【発明が解決しようとする課題】
【０００４】
ところで、上記従来の特許文献１記載の装置では、周囲音のみを音量調整の判断材料としている。ユーザは各々の聴感があるため、同じ周囲音であっても、設定する音量が異なる。そのため、上記従来の特許文献１記載の装置では、周囲音のみで音量を自動調整しても、ユーザがユーザ自身の聴感に合わせて再度音量を調整することが起きやすいという問題があった。
【課題を解決するための手段】
【０００５】
本発明の請求項１にかかる音量調整システムは、リモコンとテレビジョン受信機からなる音量調節システムであって、リモコンは、ユーザＩＤを検知する指紋センサと、リモコンの周囲音を検知する第２の周囲音センサと、リモコンとテレビジョン受信機間の距離を検知する赤外線センサと、第２の周囲音センサが検知した周囲音、赤外線センサが検知した距離及び指紋センサが検知したユーザＩＤをユーザ視聴情報として送信する送信部と、を備え、テレビジョン受信機は、ユーザ視聴情報を受信する受信部と、テレビジョン受信機の周囲音を検知する第１の周囲音センサと、受信部が受信したユーザ視聴情報及び第１の周囲センサが検知した周囲音に応じて、出力すべき音量を計算する第１の制御部と、第１の制御部が計算した出力すべき音量応じて、音量を調整する音量制御部と、を具備することを特徴とする。
【０００６】
また、本発明の請求項２にかかる音量調整システムは、本発明の請求項１にかかる音量調整システムの構成において、リモコンは、チャンネル変更や入力機器選択のリモコン操作が行なわれた場合に、ユーザ視聴情報を送信部に送信させる第２の制御部と、を更に備えることを特徴とする。
【０００７】
また、本発明の請求項３にかかる音量調整システムは、本発明の請求項１にかかる音量調整システムの構成において、テレビジョン受信機は、過去のユーザ視聴情報と出力音量とを対応付けたユーザ音量調整情報を記憶する記憶部と、を更に備え、第１の制御部は、受信部が受信したユーザ視聴情報に含まれるリモコンの周囲音が、記憶部が記憶した過去のユーザ視聴情報に含まれるリモコンの周囲音の所定範囲内に含まれ、かつ、第１の周囲音センサが検知した周囲音が、記憶部が記憶した過去のユーザ視聴情報に含まれるテレビジョン受信機の周囲音の所定範囲内に含まれると判断した場合は、記憶部が記憶したユーザ音量調整情報に含まれる出力音量を出力すべき音量として音量制御部に出力する、ことを特徴とする。
【０００８】
また、本発明の請求項４にかかる音量調整方法は、リモコンとテレビジョン受信機からなる音量調節システムにおける音量調整方法であって、リモコンは、リモコンの周囲音を検知するステップと、リモコンとテレビジョン受信機間の距離を検知するステップと、指紋センサによってユーザＩＤを認識するステップと、検知したリモコンの周囲音、検知した距離及び認識されたユーザＩＤをユーザ視聴情報として送信するステップと、を有し、テレビジョン受信機は、ユーザ視聴情報を受信するステップと、テレビジョン受信機の周囲音を検知するステップと、受信したユーザ視聴情報及び検知したテレビジョン受信機の周囲音に応じて、出力すべき音量を計算するステップと、計算した出力すべき音量に応じて、音量を調整するステップと、を有することを特徴とする。
【発明の効果】
【０００９】
本発明によれば、ユーザの周囲の騒音、テレビジョン受信機とリモコン間の距離及びユーザ自身の聴感に合わせて音量を自動調節することが可能となる。
【図面の簡単な説明】
【００１０】
【図１】本発明の実施の形態１における音量調整システムの構成を示すブロック図
【図２】本発明の実施の形態１におけるユーザ視聴情報送信処理を示すフローチャート
【図３】本発明の実施の形態１におけるユーザ視聴情報取得処理及び音量調節処理を示すフローチャート
【図４】本発明の実施の形態１におけるメモリ４０３に記憶されたユーザ音量調整情報の例を示す図
【発明を実施するための形態】
【００１１】
以下本発明を実施するための形態について、図面を参照しながら説明する。
【００１２】
（実施の形態１）
図１は本発明の実施の形態１に係る音量調節システムの構成を示すブロック図である。本実施の形態における音量調節システム１００は、テレビジョン受信機４００と、リモコン２００から構成されており、テレビジョン受信機４００の第１の周囲音センサ４０１が検知した周囲音、リモコン２００の第２の周囲音センサ２０１が検知した周囲音、リモコン２００の赤外線センサ２０４が検知したテレビジョン受信機４００とリモコン２００間距離及びリモコン２００の指紋センサ２０５が検知したユーザＩＤからなるユーザ視聴情報３００に応じて、テレビジョン受信機４００が出力する音量の自動調節を行う。
【００１３】
テレビジョン受信機４００は、テレビジョン受信機４００が設置された場所において所定範囲内の周囲音を検知する第１の周囲音センサ４０１と、リモコン２００からの情報としてユーザ視聴情報３００を受信する受信部４０２と、過去のユーザ視聴情報と調整音量値をユーザ音量調整情報として保持するメモリ（記憶部）４０３と、第１の周囲音センサ４０１が検知した現在の第１の周囲音の値及び受信部４０２が受信したユーザ視聴情報３００に応じて適切な音量を計算する第１の制御部４０４と、第１の制御部４０４が計算した音量に応じて出力する音量を調節する音量制御部４０５から構成される。
【００１４】
リモコン２００は、リモコン２００が位置する場所において所定範囲の周囲音を検知する第２の周囲音センサ２０１と、テレビジョン受信機４００とリモコン２００間距離を検知する赤外線センサ２０４と、ユーザＩＤを検知する指紋センサ２０５と、第２の周囲音センサ２０１、赤外線センサ２０４及び指紋センサ２０５が検知した値をユーザ視聴情報３００としてテレビジョン受信機４００の受信部４０２へ送信する送信部２０２と、ユーザのリモコン操作を監視する第２の制御部２０３から構成される。ここで、第２の周囲音センサ２０１、赤外線センサ２０４及び指紋センサ２０５は、第２の制御部２０３において、リモコン操作としてチャンネル変更や入力機器変更等の画面を切り替える操作がなされたと判断される度にあるいはリモコン操作が行われたと判断される度に、情報を取得し、第２の制御部２０３は、取得した情報をユーザ視聴情報３００としてリモコン操作情報とともに送信部２０２へ出力する。
【００１５】
ここで、本実施の形態にかかる音量調節システムの音量調節処理について、図２、図３、図４を用いて説明する。図２は、本発明の実施の形態１にかかる音量調節システムの周囲音情報送信処理を示すフローチャートである。図３は、本発明の実施の形態１にかかる音量調節システムの周囲音情報取得処理及び音量調節処理を示すフローチャートである。図４は、本発明の実施の形態１にかかるメモリ４０３に記憶されたユーザ音量調整情報の例を示す図である。
【００１６】
まず、図２を用いてリモコン２００における周囲音情報送信処理について説明する。リモコン２００では、常にユーザのリモコン操作を待っている状態とし、ユーザがリモコン操作を行うたびに、ユーザ視聴情報送信処理を実行する。リモコン２００の第２の制御部２０３において、リモコン操作がチャンネル変更や入力機器切り替え等の画面を変更する操作であると判断した場合（ステップＳ２０１で「Ｙｅｓ」）、第２の制御部２０３は第２の周囲音センサ２０１に周囲音の値を取得させる（ステップＳ２０２）。次に赤外線センサ２０４にテレビジョン受信機４００とリモコン２００の間距離を取得させる（ステップＳ２０３）。さらに指紋センサ２０５にユーザＩＤを取得させる（ステップＳ２０４）。そして、送信部２０２は、第２の周囲音センサ２０１が取得した周囲音及び赤外線センサ２０４が取得したテレビジョン受信機４００とリモコン２００間距離及び指紋センサ２０５が取得したユーザＩＤの値を送信信号に変換し（ステップＳ２０５）、変換後にユーザ視聴情報３００としてテレビジョン受信機４００の受信部４０２へ送信する（ステップＳ２０６）。一方、第２の制御部２０３において、リモコン操作がチャンネル変更や入力機器切り替え等の画面を変更する操作でないと判断した場合は（ステップＳ２０１で「Ｎｏ」）、第２の制御部２０３はリモコン操作情報のみを送信部２０２を介してテレビジョン受信機４００の受信部４０２に送信させる。
【００１７】
次に、図３を用いてテレビジョン受信機４００における周囲音情報取得処理及び音量調節処理について説明する。テレビジョン受信機４００では、受信部４０２がリモコン２００からリモコン信号を受信した場合（ステップＳ３０１で「Ｙｅｓ」）、第１の制御部４０４は、受信したリモコン信号にユーザ視聴情報３００が含まれているかどうかの判定を行う（ステップＳ３０２）。ユーザ視聴情報３００が含まれていないと判定した場合は（ステップＳ３０２で「Ｎｏ」）、受信したリモコン操作情報に基づいて通常のリモコン処理を実行する（ステップＳ３０９）。ユーザ視聴情報３００が含まれていると判定した場合（ステップＳ３０２で「Ｙｅｓ」）、第１の周囲音センサ４０１に対してテレビジョン受信機４００の周囲音を取得させる（ステップＳ３０３）。
【００１８】
上記処理後、第１の制御部４０４は、メモリ４０３からユーザ音量調整情報に含まれる過去のユーザ視聴情報を検索する（ステップＳ３０４）。過去のユーザ視聴情報と少なくとも、リモコンの周囲音、テレビジョン受信機の周囲音が所定の誤差範囲内（例えば、プラスマイナス１ｄＢ）で一致する場合（ステップＳ３０５で「Ｙｅｓ」）、それに応じた音量に設定する（ステップＳ３０８）。過去のユーザ視聴情報は図４のように整理されてメモリ４０３に記憶されている。過去のユーザ視聴情報と所定の誤差範囲内で一致しない場合は（ステップＳ３０５で「Ｎｏ」）、音量を変更せずに（ステップＳ３０６）、その時のユーザＩＤと音量等をメモリ４０３に記録する（ステップＳ３０７）。
【産業上の利用可能性】
【００１９】
本発明は、テレビジョン受信機をはじめ、リモコンで操作可能な全てのＡＶ機器において有用である。
【符号の説明】
【００２０】
１００    音量調節システム
２００    リモコン
２０１    第２の周囲音センサ
２０２    送信部
２０３    第２の制御部
２０４    赤外線センサ
２０５    指紋センサ
３００    ユーザ視聴情報
４００    テレビジョン受信機
４０１    第１の周囲音センサ
４０２    受信部
４０３    メモリ
４０４    第１の制御部
４０５    音量制御部
【図１】
2013005208.tif 000003
【図２】
2013005208.tif 000004
【図３】
2013005208.tif 000005
【図４】
2013005208.tif 000006